(57)【要約】【課題】選択された印字品質に最適な用紙の種類の選択を容易にすることができる印字制御ドライバを提供すること。【解決手段】制御機器から印字装置に送る印字データを作成するドライバであって、制御装置のユーザインターフェースから、少なくとも印字装置の印字モード、印字に使用する印字用紙が選択できる印字制御ドライバにおいて、印字モードで選択されたモードに連動して、印字用紙の選択時に印字モードで選択されたモードに最も適した印字用紙が選択順の最も高い位置に並び替えられることを特徴とする。【選択図】図１
2005238483.tif 000002
【特許請求の範囲】
【請求項１】
制御機器から印字装置に送る印字データを作成するドライバであって、制御装置のユーザインターフェースから、少なくとも印字装置の印字モード、印字に使用する印字用紙が選択できる印字制御ドライバにおいて、
印字モードで選択されたモードに連動して、印字用紙の選択時に印字モードで選択されたモードに最も適した印字用紙が選択順の最も高い位置に並び替えられることを特徴とする印字制御ドライバ。
【発明の詳細な説明】
【技術分野】
【０００１】
本発明は、制御機器から印字装置に送る印字データを作成するドライバにおいて、印字モードにおける最適な印字用紙の選択方法に関するものである。
【背景技術】
【０００２】
印字装置を制御する制御機器には印字装置に対応した印字データを作成するドライバソフトが搭載されていて、制御機器のユーザインターフェースより印字するデータに対して各種項目を選択し、その選択に従ってドライバは印字データを作成する（例えば、特許文献１参照）。
【０００３】
近年、印字装置が高性能化し、１台の印字装置で高速な印字出力ができるモードや、銀塩写真並みの画質を印字できるモード等が搭載されてきている。又、それと合わせて、最適な印字結果を得られるように、印字用紙も多くの種類が用意されている。
【０００４】
図６はドライバのユーザインターフェースの一例である。図６（ａ）はドライバを起動したときの画面である。用紙の種類と印字品質が選択できるようになっている。
【０００５】
印字品質は“標準”を選び、用紙の種類のプルダウンメニューを選択すると、一覧リストが現れる（図６（ｂ））。リストの先頭は“普通紙”となっていて、そのままで良ければ何もしなくて良い。その後、ＯＫボタンをクリックすると、ドライバは用紙の種類と印字品質で選択した項目に合わせたデータを作成し、印字装置にインターフェースを介して転送する。
【０００６】
きれいな印字結果を得る場合には用紙もそれに合わせた用紙を選ぶ必要がある。逆に言うと、印字品質で選択した印字品位に最適な印字用紙を選択しないと良い印字結果が得られない。
【０００７】
図６（ｃ）は印字品質で“きれい“を選択した場合である。従来、この場合でも用紙の種類のプルダウンメニューの先頭は”普通紙“のままである。
【０００８】
ユーザは、プルダウンメニューを選択し（図６（ｄ））、“きれい”に合った用紙を選択するのに多くの印字用紙リストから探さなければならず、煩雑でだった。
【０００９】
【特許文献１】特開平１１−０１０８４８号公報
【発明の開示】
【発明が解決しようとする課題】
【００１０】
本発明は上記不具合に鑑みてなされたもので、その目的とする処は、選択された印字品質に最適な用紙の種類の選択を容易にすることができる印字制御ドライバを提供することにある。
【課題を解決するための手段】
【００１１】
上記目的を達成するため、本発明は、制御機器から印字装置に送る印字データを作成するドライバであって、制御装置のユーザインターフェースから、少なくとも印字装置の印字モード、印字に使用する印字用紙が選択できる印字制御ドライバにおいて、
印字モードで選択されたモードに連動して、印字用紙の選択時に印字モードで選択されたモードに最も適した印字用紙が選択順の最も高い位置に並び替えられることを特徴とする。
【発明の効果】
【００１２】
本発明によれば、ドライバ画面の印字品質の項目の選択によって、用紙の種類の用紙の並び順を変更することで、多くの種類の用紙から目的の用紙を探す手間がなくなり、簡便な操作で目的の印字結果を得ることが可能となった。上記不具合を解決する手段として、選択された印字品質に最適な印字用紙を、用紙の種類リストの最上位に並べ替えることで、多くの中から選択する煩雑な操作を省略することが可能となった。
【発明を実施するための最良の形態】
【００１３】
以下に本発明の実施の形態を添付図面に基づいて説明する。
【００１４】
図２及び図３は本発明に関する印字装置を示す斜視図である。印字装置は従来と同様の部材で構成される。
【００１５】
図２及び図３において、キャリア２は、印字ヘッド１を着脱自在に保持するもので、フレーム２５に両端部が固定され互いに並行に配置されたガイドシャフト４及びガイドレール７に、印字用紙１８の搬送方向と直行し、且つ、印字用紙１８の面に平行な方向に摺動自在に支持される。キャリア２は、キャリアモータ６に不図示のギア列によって回転駆動される駆動プーリ３０と回転自在に支持されたアイドルプーリ１５との間に掛け回されたベルト５の一部位に結合されており、キャリアモータ６を駆動することで、ベルト５が駆動され、キャリア２が上記方向に往復移動する構成になっている。
【００１６】
印字ヘッド１は、キャリア２のラッチ部材３０Ｙをアーム３０Ｙａで操作してキャリア２へ押し付け、印字ヘッド１の固定及びプリンタからの電気信号がキャリア側端子部（図示せず）と印字ヘッド側端子部（図示せず）との圧接で結合される。
【００１７】
１６はホームポジションセンサで、キャリア２の通過を検出することによりキャリア２の位置を検出するものである。３はフレキシブルケーブルで、印字ヘッド１に不図示の制御基板から電気信号を伝えるものである。
【００１８】
次に、印字用紙１８を搬送する構成について説明する。
【００１９】
１９は自動給紙部で、複数枚セットされた印字用紙１８を１枚ずつ分離して紙送りローラ１４まで搬送する。フレーム２５に回転可能に支持された紙送りローラ１４にはＬＦギア３１が固定されており、紙送りモータ２０によって不図示ギア列で回転駆動される。紙送りローラ１４にはピンチローラ２１が下方よりピンチローラホルダ２２を介してピンチローラバネ２３によって圧接されており、紙送りローラ１４とピンチローラ２１の間に挟まれた印字用紙１８前記紙送りモータ２０の駆動によって搬送する。搬送される印字用紙１８は、プラテン９に支えられて移動する。
【００２０】
１１は記録後の印字用紙１８を排出するための排紙ローラで、アイドルギア列２９により、紙送りローラ１４から駆動力が伝達され、紙送りローラ１４と同期して回転する。排紙ローラ１１は、排紙ローラバネ２４によって拍車８方向（印字用紙半双方向に略垂直方向）に圧接されており、排紙ローラ１１との間に印字用紙１８を挟み込み搬送する。
【００２１】
１７はペーパーセンサで、紙送りローラ１４の直前の印字用紙１８の有無を検出する。１０は排紙センサで、排紙ローラ１１近傍の印字用紙１８の有無を検出する。
【００２２】
本装置の記録装置としての機能は、前記キャリア２の往復移動に同期して印字ヘッド１が記録信号に応じてインクを図４において下向きに吐出することにより、印字用紙１８に一行記録を行うものである。即ち、この印字ヘッド１は微細な液体吐出口（オリフィス）、液路及びこの液路の一部に設けられたエネルギ作用部と、該作用部に有る液体に作用させる液滴形成エネルギを発生するエネルギ発生手段とを備えている。
【００２３】
このようなエネルギを発生させるエネルギ発生手段としては、ピエゾ素子等の電機機械変換体を用いた記録方法、レーザ等の電磁波を照射して発熱させ該発熱による作用で液滴を吐出させるエネルギ発生手段を用いた記録方法、或は発熱抵抗を有する発熱素子等の電機熱変換体によって液体を加熱して液体を吐出させるエネルギ発生手段を用いた記録方法等がある。
【００２４】
その中でも熱エネルギによって液体を吐出させるインクジェット記録方法に用いられている印字ヘッドは、記録用の液体を吐出して吐出用液滴を形成するための液体吐出口を高密度に配列することができるために高解像度の記録をすることが可能である。その中でも電気熱変換体をエネルギ発生源として用いた印字ヘッドは、コンパクト化も容易であり、且つ、最近の半導体分野における技術の進歩と信頼性の向上が著しいＩＣ技術やマイクロ加工技術の長所を十二分に活用でき、高密度実装化が容易で、製造コストも安価なことから有利である。
【００２５】
前記印字ヘッド１の移動により１行記録を行うと、印字用紙１８は、紙送りモータ２０により図２の印字用紙１８上に示した搬送方向の矢印の向きに１行分搬送され、次行に記録を行う構成になっている。本印字装置には積載した印字用紙１８を、印字装置に１枚ずつ分離して給紙するための自動給紙部１９が設けられている。
【００２６】
キャリア２の移動範囲の一端には、乾燥から印字ヘッド１の液体吐出口を保護するキャップ１３があり、キャリア１がホームホジションに位置するとき、紙送りモータ２０によって図示しない動力伝達機構によりキャップ１３を印字ヘッド１へ押し付ける。又、液体吐出口の清掃のためのインク吸引動作もここで行う。印字ヘッド１の液体吐出口の或る面を清掃するためのブレード１２がキャップ１３の側にあり、キャリア２の動作によって図示しないリンク機構により液体吐出口面をしごく。その動作により吐出口面のノズルの近傍に付着したゴミ等の異物を取り除き常に正常な記録を行わせる（ワイピング動作）ものである。
【００２７】
図４（ａ），（ｂ）本発明の印字装置の外観図を示す。
【００２８】
４０１は印字装置外観である。内部に図２に示した印字装置が収納されている。４０２は印字用紙１８の排出口である。４０２１，４０２２は排紙サポート１，２で、排紙された印字用紙を支える。４０５はカバーで、この部分を開けて印字ヘッドを脱着する。４０４は電源スイッチで、図５における操作部５１４に含まれ、ＣＰＵ５０２はこのスイッチの入力を監視し、入力されるとＣＰＵ５０２はインターフェイス部５０６を通してパワーコントローラ部５０７への電源のスイッチ５１８をオンにする。
【００２９】
５１５は状況を表示する表示部である。４０６は各種操作キーを集めたキーカバーである。４０３１，４０３２は給紙サポート１，２で、それらにガイドされた印字用紙１８は、自動給紙部１９へ導かれる。印字装置側面には、図５で示した外部記憶装置５１６の外部記憶装置挿入口４５１６と外部インターフェイス５１７の外部インターフェイスコネクタ挿入口４５１７がある。
【００３０】
本印字装置は、使用していないときは図４（ｂ）に示すように、排紙サポート（１）４０２１は排紙サポート（２）４０２２内に収納され、カバー４０５へ折り畳み収納される。又、給紙サポート（１）４０３１も折り畳み、コンパクトになると共に自動給紙部１９の挿入口１９１の上部を覆い、ごみの落下を防ぐ。
【００３１】
次に、本実施の形態に係る原稿読み取り装置の電気回路のブロック図を説明する。
【００３２】
図５は本実施の形態に関する印字装置の電気回路構成を表わすブロック図である。同図において、５０１は主制御をなすロジックコントローラで、５０２は或る手順を実行する例えばマイクロコンピュータ形態のＣＰＵ、５０３はテキストデータや画像データを展開したりする領域や作業用の領域等を設けたＲＡＭ、５０４は前記手順に対応したプログラムやその他フォントデータ等の固定データを格納したＲＯＭ、５０５はＣＰＵ５０２の実行サイクルを作り出したり印字装置部による記録動作の際必要なタイミングを作り出したりするタイマ、５０６はＣＰＵ５０２からの信号と周辺装置を結ぶインターフェイス部である。
【００３３】
又、５０７は印字装置部のパワーコントローラで、５０８は印字ヘッドの有無、種類、印字ヘッドの温度を検出するセンサの出力値、印字ヘッド１内のインクの有無を検出するセンサ出力等の印字ヘッド情報を検出するヘッド検出部、５０９は印字ヘッドの記録データを蓄えるためのラインバッファ、５１０は印字ヘッドに記録信号や電力等を送出するヘッドドライバ、５１１ａ，５１１ｂはそれぞれキャリアモータ６、紙送りモータ２０を駆動するのに必要な信号や電力等を送出するモータドライバ、５１２はホームポジションセンサ１６、ペーパーセンサ１７、排紙センサ１０等のセンサの出力を検出するセンサ検出部である。ヘッド検出部５０８、ヘッドドライバ５１０と、印字ヘッド１間でのデータ信号のやり取りは、フレキシブルケーブル３を共通使用する。
【００３４】
５１４は電源スイッチやヘッド交換を行うための操作部、５１５は状態を表示する表示部、５１６は例えばＦＤＤ、ＨＤＤ、ＲＡＭカード等の外部記憶装置、５１７は例えば他の情報処理装置と通信を行ったり、外部の制御機器から印字のコマンドを受け取るための外部インターフェイス（セントロニクスポート、ＲＳ２３２Ｃポート、ＵＳＢ等）である。
【００３５】
５１９は電源でロジックコントローラ５０１部には常に供給し、ＣＰＵ５０２はインターフェイス部５０６を通して操作部５１４や外部インターフェイス５１７からの入力信号を監視する。パワーコントローラ部５０７へはインターフェイス部５０６を通してＣＰＵ５０２で制御されるスイッチ５１８によって電力供給を制御する。通常は操作部５１４の電源スイッチのＯＮで電力を供給するが、外部インターフェース５０６から信号が入力されたときにも電力を供給することもできる。
【００３６】
又、操作部５１４の電源スイッチのＯＮ／ＯＦＦの他、データの処理が終わり操作部５１４、外部記憶装置５１６、外部インターフェイス５１７から一定時間データの入力や操作がなければ、ＣＰＵ５０２はスイッチ５１８を切り、省電力状態になる。電源５１９は図示しないＡＣ電源や電池等から電力を供給される。
【００３７】
図１は本発明の一実施例を示す図である。
【００３８】
図１（ａ）は印字品質に“標準“を選択したときの画面である。用紙の種類には”普通紙“が選択されていて、そのままで良ければ何もしなくて良い。その後、ＯＫボタンをクリックすると、ドライバは用紙の種類と印字品質で選択した項目に合わせたデータを作成し、印字装置にインターフェースを介して転送する。
【００３９】
ここで、用紙の種類のプルダウンメニューを選択すると、一覧リストが現れる（図１（ｂ））。この用紙の順番はＲＯＭ５０４に記録された、印字品質と印字用紙の初期設定テーブル（図７）の“標準”によって決定されたリスト順に並ぶ。
【００４０】
次に、図１（ｃ）で印字品質を“きれい”に変更する。用紙の種類は、図７の初期設定テーブルに従って“きれい”の用紙順番に変更され、先頭がフォトペーパーとなる。そのままで良ければ何もしなくて良い。その後、ＯＫボタンをクリックすると、ドライバは用紙の種類と印字品質で選択した項目に合わせたデータを作成し、印字装置にインターフェースを介して転送する。図１（ｄ）で用紙の種類のプルダウンメニューを開いてみると図７の“きれい”のテーブル順に並んでいることが分かる。
【００４１】
印字品質が“きれい”の場合それに対応した用紙を使用しなければ効果が得られず、又、殆どの場合、対応した用紙を使用して印刷することを前提に、印字品質の“きれい”を選択するので、それに対応した用紙を用紙の種類の先頭に持ってくればプルダウンメニューを開いて、目的の用紙を探す手間が掛からない。
【００４２】
同様に印字品質で“速い“を選択した場合、印字に速さを要求される場合が多い、はがきや封筒、ＯＨＰフィルム等を上位に並べたテーブルを表示するようにする。
【００４３】
図８は上記の選択の過程のフローチャートである。
【００４４】
Ｓ１でこのルーチンをスタートする。
【００４５】
Ｓ２でドライバ画面の印字品質の、“きれい”、“標準”、“速い”の何れかを選択する。“きれい”を選択するとＳ３に進み、図７の初期設定テーブルよりきれいテーブルを参照してドライバ画面の用紙の種類に表示し、Ｓ６でこのルーチンを終了する。
【００４６】
“標準”を選択するとＳ４に進み、図７の初期設定テーブルより標準テーブルを参照してドライバ画面の用紙の種類に表示し、Ｓ６でこのルーチンを終了する。
【００４７】
“速い”を選択するとＳ５に進み、図７の初期設定テーブルより速いテーブルを参照してドライバ画面の用紙の種類に表示し、Ｓ６でこのルーチンを終了する。
【産業上の利用可能性】
【００４８】
本発明は、制御機器から印字装置に送る印字データを作成する印刷制御ドライバに対して適用可能である。
【図面の簡単な説明】
【００４９】
【図１】本発明の実施例を示す模式的構成図である。
【図２】本発明に使用される印字装置の模式的斜視図である。
【図３】本発明に使用される印字装置の模式的断面図である。
【図４】本発明に使用される印字装置の模式的概観図である。
【図５】本発明に使用される印字装置の模式的電気回路図である。
【図６】本発明に対する従来例の模式的構成図である。
【図７】本発明の印字品質と用紙の初期設定テーブルである。
【図８】本発明のフローチャートである。
【符号の説明】
【００５０】
１        印字ヘッド
２        キャリア
３        フレキシブルケーブル
４        ガイドシャフト
５        ベルト
６        キャリアモータ
７        ガイドレール
８        拍車
９        プラテン
１１      排紙ローラ
１４      紙送りローラ
１５      アイドルプーリ
１６      ホームポジションセンサ
１７      ペーパーセンサ
１８      印字用紙
１９      自動給紙部
２０      紙送りモータ
２１      ピンチローラ
２５      フレーム
２９      アイドルギア
３０      プーリ
４０１    印字装置
４０２１  排紙サポート１
４０２２  排紙サポート２
４０３１  給紙サポート１
４０３２  給紙サポート２
５０２    ＣＰＵ
５０３    ＲＡＭ
５０４    ＲＯＭ
５０５    タイマ
５０６    インターフェイス部
５０７    パワーコントローラ
５０８    ヘッド検出部
５０９    ラインバッファ
５１０    ヘッドドライバ
５１１    モータドライバ
５１２    センサ検出部
【図１】
2005238483.tif 000003
【図２】
2005238483.tif 000004
【図３】
2005238483.tif 000005
【図４】
2005238483.tif 000006
【図５】
2005238483.tif 000007
【図６】
2005238483.tif 000008
【図７】
2005238483.tif 000009
【図８】
2005238483.tif 000010